Podtech/llm-jp-corpus-v4-ja_patent huggingface dataset:
(57)【要約】【課題】鉛直光が投射され、放射された鉛直光に基づき、空間の任意の箇所を適宜施工することができる頂上投光のレーザ水準器を提供する。【解決手段】頂上投光のレーザ水準器は、発光器構成１０、ベッド２０及び保護カバー３０を備える。発光器構成１０は、制御回路基板１３及び複数のレーザ発光器１１を含むとともに、ベッド２０上に配設され、保護カバー３０により外側が覆われて保護される。発光器構成１０の真上には、頂上発光器１２が配設される。頂上発光器１２は、下から上方向へかけて鉛直光を放射して鉛直点を形成する。【選択図】図２
0003198776.tif 000002
【実用新案登録請求の範囲】
【請求項１】
発光器構成、ベッド及び保護カバーを備えた頂上投光のレーザ水準器であって、
前記発光器構成は、制御回路基板及び複数のレーザ発光器を含むとともに、前記ベッド上に配設され、前記保護カバーにより外側が覆われて保護され、
前記発光器構成の真上には、頂上発光器が配設され、
前記頂上発光器は、下から上方向へかけて鉛直光を放射して鉛直点を形成することを特徴とする、頂上投光のレーザ水準器。
【考案の詳細な説明】
【技術分野】
【０００１】
本考案は、レーザ水準器に関するものであり、さらに詳しくは、真上にレーザ発光器が設けられたレーザ水準器であって、鉛直光を出力する頂上投光のレーザ水準器に関するものである。
【背景技術】
【０００２】
一般に、建築又は内装の工事を行う際、正確な水平ライン又は垂直縦ラインをレーザ水準器などの適宜な機器により形成する。レーザ水準器は、水平ライン及び垂直縦ラインのガイドレーザ光を空間の平面上に投射する電子機器であり、施工の基準となるラインを形成することができるため非常に便利である。
【０００３】
図１を参照する。図１は、レーザ水準器５０から壁面５１及び天井５２にレーザ光線が投射された状態を示す説明図である。図１に示すように、壁面５１及び天井５２上には、レーザ光線により水平ライン５３及び垂直縦ライン５４がはっきりと示されるとともに、水準器の真下に地墨点５５が示されるが、地墨点５５から鉛直方向の光線は形成されていないため、施工する際に空間中の平面に基準点が必要な場合、従来のレーザ水準器では、下から上方向へかけて鉛直光が放射されていないため、手作業により天井から下方向へかけて垂らす下げふりのような道具を利用することができたが、天井が高すぎる場合、作業が困難で非常に不便であった。
【考案の概要】
【考案が解決しようとする課題】
【０００４】
従って、本考案の課題は、利用者が何れか１つの水平位置に下から上方向へかけて鉛直光が投射され、利用者が光点の指示位置を速やかに探し出すことができる上、放射された鉛直光に基づき、空間の任意の箇所を適宜施工することができる、頂上投光のレーザ水準器を提供することにある。
【課題を解決するための手段】
【０００５】
そこで、本考案者は、本考案の前記課題を解決するため鋭意検討を重ねた結果、次に述べるように本考案に想到するに至った。
かくして、本考案によれば、発光器構成、ベッド及び保護カバーを備えた頂上投光のレーザ水準器であって、
前記発光器構成は、制御回路基板及び複数のレーザ発光器を含むとともに、前記ベッド上に配設され、前記保護カバーにより外側が覆われて保護され、
前記発光器構成の真上には、頂上発光器が配設され、
前記頂上発光器は、下から上方向へかけて鉛直光を放射して鉛直点を形成することを特徴とする、頂上投光のレーザ水準器が提供される。
【考案の効果】
【０００６】
本考案は、前記の通りの構成からなるものであり、利用者は鉛直点に基いて指示位置を速やかに探し出し、鉛直ラインに基いて空間中の任意の箇所を適宜施工することが出来る。
【図面の簡単な説明】
【０００７】
【図１】図１は、従来のレーザ水準器から光が投射された状態を示す説明図である。
【図２】図２は、本考案の一実施形態に係る頂上投光のレーザ水準器を示す斜視図である。
【図３】図３は、本考案の一実施形態に係る頂上投光のレーザ水準器を示す斜視図である。
【図４】図４は、本考案の一実施形態に係る頂上投光のレーザ水準器からレーザ光が投射された状態を示す説明図である。
【考案を実施するための形態】
【０００８】
図２及び図３を参照する。図２は、本考案の一実施形態に係る頂上投光のレーザ水準器を示す斜視図である。図３は、本考案の一実施形態に係る頂上投光のレーザ水準器を示す斜視図である。図２及び図３に示すように、本考案の一実施形態に係る頂上投光のレーザ水準器１は、発光器構成１０、ベッド２０及び保護カバー３０を含む。発光器構成１０は、ベッド２０上に配設され、制御回路基板１３及び複数のレーザ発光器１１を含む。レーザ発光器１１は、空間中の周囲の壁及び天井に直角に交わる十字線と光点とを投射する。またレーザ発光器１１は、発光器構成１０の真上に配設された頂上発光器１２をさらに含む。頂上発光器１２は、レーザガイド光を真上へ投射し、上方の２つの交わる点により鉛直点が生成される。保護カバー３０は、内部部品を保護する機能と防塵機能とを有するカバー体であり、制御パネル３１と、レーザ発光器１１の位置及び数に対応した複数の照射口３２とを有し、頂上発光器１２から放射されたビーム光が、制御パネル３１の中央部に形成された貫通孔３３を透過する。
【０００９】
図４を参照する。図４は、本考案の一実施形態に係る頂上投光のレーザ水準器がレーザ光を投射する状態を示す説明図である。図４に示すように、本考案の一実施形態に係る頂上投光のレーザ水準器は、垂直に交わった十字線が空間中の壁面及び天井に投射されるとともに、レーザ水準器の真上には、地墨点に対応する鉛直ライン４０が上方向へかけて投射され、上方の２本の線が交差されて形成された鉛直点４１に基づいて利用者は指示位置を速やかに探し出し、鉛直ライン４０に基づいて空間中の任意の箇所を適宜施工することができる。
【符号の説明】
【００１０】
１  レーザ水準器
１０  発光器構成
１１  レーザ発光器
１２  頂上発光器
１３  制御回路基板
２０  ベッド
３０  保護カバー
３１  制御パネル
３２  照射口
３３  貫通孔
４０  鉛直ライン
４１  鉛直点
５０  レーザ水準器
５１  壁面
５２  天井
５３  水平ライン
５４  垂直縦ライン
５５  地墨点
【図１】
0003198776.tif 000003
【図２】
0003198776.tif 000004
【図３】
0003198776.tif 000005
【図４】
0003198776.tif 000006
(57)【要約】      （修正有）【課題】起毛地を用いた布団カバーにおいて、起毛地の基布から裏面側に抜けた毛がカバー内に収容した布団の表面に付着しないようにした布団カバーを提供する。【解決手段】それぞれ起毛地からなる上下２枚の表地２，３と表地の裏面側にそれぞれ配置した裏地４，５とを重ね合わせ、周縁を縫製部６として袋状に形成する。裏地の一方をアルミ蒸着した布帛としてもよい。【選択図】図２
0003198771.tif 000002
【実用新案登録請求の範囲】
【請求項１】
それぞれ起毛地からなる上下２枚の表地と該２枚の表地の裏面側にそれぞれ配置した裏地とを重ね合わせ、周縁を縫製して袋状に形成してなることを特徴とする布団カバー。
【請求項２】
裏地の一方をアルミ蒸着した布帛とした請求項１に記載の布団カバー。
【考案の詳細な説明】
【技術分野】
【０００１】
本考案は、布団カバー、特に起毛地を使用した布団カバーに関する。
【背景技術】
【０００２】
従来、布団カバーは、平織など薄手の布帛を使用するのが一般的である。特に冬場など寒い時期には、布団を収容した布団カバーと身体との間に毛布を介在させ、温かさを確保する。このように、毛布を用意する必要がある。
そこで、布団カバーの生地として起毛地を用い、布団カバー自体に毛布の機能を持たせ、別途毛布を用意する必要のないようにしたものが知られている（特許文献１）。また、上片面を起毛地、下片面をシーツ地にした夏冬兼用の布団カバーも知られている（特許文献２）。
【０００３】
袋状に形成した布団カバーの場合、起毛地からなる布団カバー内に布団を収容して使用するものであるが、使用中に起毛地の基布から裏面側（布団側）に毛が抜けて布団の表面に付着することがあり、従来の布団カバーにあってはこの問題に対する対策が何らなされていない。
【先行技術文献】
【特許文献】
【０００４】
【特許文献１】特開平９−２８５３７号公報
【特許文献２】実用新案登録第３０４９０９５号公報
【考案の概要】
【考案が解決しようとする課題】
【０００５】
そこで、本考案は、起毛地を用いた布団カバーにおいて、起毛地の基布から裏面側に抜けた毛がカバー内に収容した布団の表面に付着しないようにした布団カバーを提供することを目的とする。
【課題を解決するための手段】
【０００６】
上記の課題を解決するために、請求項１に係る布団カバーは、それぞれ起毛地からなる上下２枚の表地と該２枚の表地の裏面側にそれぞれ配置した裏地とを重ね合わせ、周縁を縫製して袋状に形成してなること、を特徴としている。
請求項２に係る布団カバーは、裏地の一方をアルミ蒸着した布帛としたものである。
【考案の効果】
【０００７】
請求項１に係る考案によれば、起毛地からなる表地と該表地の裏面側（内側面）に配置した裏地とを重ね合わせ、縫製してあるので、起毛地の起毛が基布の裏面側へ脱毛しても、裏地があるため脱毛した毛が裏地の裏側（布団側）へ抜けるのを阻止する。このため、布団カバー内に収容した布団の表面に起毛地から脱毛した毛が付着することがなくなり、布団カバー内に収容した布団を取出した際に、布団表面に付着した毛を取り除く手間がかからず、また見栄えも良い。
請求項２に係る布団カバーによれば、裏地の一方をアルミ蒸着した布帛としたので、起毛地から脱毛した毛が布団に付着するのを防止するとともに、アルミ蒸着した布帛により体温からの熱が反射されて保温効果が高まることになる。
【図面の簡単な説明】
【０００８】
【図１】本考案の実施例による布団カバーの斜視図である。
【図２】実施例による布団カバーの概略断面図である。
【図３】布団カバー内に布団を収容した状態における図２相当の概略断面図である。
【図４】裏地のない布団カバーにおける脱毛の様子を示す拡大断面図である。
【図５】実施例による布団カバーにおける図４相当の拡大断面図である。
【考案を実施するための形態】
【０００９】
以下、本考案の実施例を図面に基づいて具体的に説明する。本考案の実施例による布団カバー１は、それぞれ起毛地からなり長方形状の上下２枚の表地２，３と、該２枚の表地２，３の裏面側（内側面）にそれぞれ配置した長方形状の裏地４，５とを重ね合わせ、周縁を縫製（６）して袋状に形成したものである。
【００１０】
図においては、起毛地は、基布２ａ，３ａの片面側（外面側）に起毛（２ｂ，３ｂ）処理が施された片面起毛のものを示したが、両面起毛地を用いてもよい。起毛地を用いているので、保温効果が高く、寒い冬場用に適している。これにより、別途毛布を用意する必要がなくなる。起毛地を構成する繊維としては、ポリエステル繊維、アクリル繊維、綿繊維など、又はこれらを混合した繊維を適宜用いる。
【００１１】
裏地４，５として用いる布帛を構成する繊維としては、ポリエステル繊維、アクリル繊維、綿繊維など、又はこれらを混合した繊維を適宜用いる。この裏地４，５に用いる布帛は、平織の布帛、網状のメッシュ布でもよい。
起毛地を用いた布団カバーの場合、使用中にカバー内に収容した布団７との摩擦等により、起毛地の基布２ａ（３ａ）の裏面側に毛２ｃ（３ｃ）が抜け、抜けた毛２ｃ（３ｃ）が布団７の表面に付着することがある（図４）。裏地４（５）は、この抜けた毛２ｃ（３ｃ）が布団７の表面に付着するのを防ぐことになる。この場合、起毛地から抜けた毛２ｃ（３ｃ）は直線状ではなく不規則に曲がりくねった状態にあるのが通常である。このため、裏地４（５）に用いる布帛として、平織の布帛だけでなく、網状のメッシュ布であっても布団７側に抜け出すことがない（図５）。
【００１２】
裏地４，５として、一方の裏地４をアルミ蒸着した布帛を用いると、該アルミ蒸着した裏地４により、体温８が反射され、布団７の外側に熱が逃げるのを抑制することができる（図３）。このため、保温効果をより高めることができる。
【００１３】
図１において、符号９はスライドファスナーで該スライドファスナー９を開閉することにより、布団カバー１内に布団７を出し入れする。
【符号の説明】
【００１４】
１  布団カバー
２，３  表地
２ａ，３ａ  基布
２ｂ，３ｂ  起毛
２ｃ，３ｃ  毛
４，５  裏地
６  縫製部
７  布団
８  体温
９  スライドファスナー
【図１】
0003198771.tif 000003
【図２】
0003198771.tif 000004
【図３】
0003198771.tif 000005
【図４】
0003198771.tif 000006
【図５】
0003198771.tif 000007
(57)【要約】      （修正有）【課題】前立腺手術をした人でも、一般の人でも良く、失禁の多い６０才以上の男性の尿の漏れを防ぐ様にしたパンツを提供する。【解決手段】直径が３．８ｃｍから４．２ｃｍの球体１の一部に布製ファスナー２を設け、パンツの内部に、重ねた時布製ファスナーと合致し、重ねることができる場所に、布製ファスナー４を設けた球体を内側に付けたことを特徴とする。【選択図】図１
0003198730.tif 000002
【実用新案登録請求の範囲】
【請求項１】
直径が３．９ｃｍ位の球体の一部に布製ファスナーを設け、パンツの内部に相応の場所に布製ファスナーを設けた球体を内側に付けたパンツ。
【考案の詳細な説明】
【技術分野】
【０００１】  本考案は、前立腺を刺激するピンポン球状の球体を布製ファスナーにつけた着脱自在に内側に取り付けたパンツに関するものである。
【背景技術】
【０００２】  前立腺の手術をした人は常に残尿があり、前立腺が尿道を圧迫することが多く失禁し尿の漏れがある。
【考案の概要】
【考案が解決しようとする課題】
【０００３】考案者は医師に局部を押すことが良いと言われた。これをパンツの内側に設けたピンポン玉状の球体を下に椅子に座って体に圧接することを考えた。【０００４】直径が３．９ｃｍ位の球体の一部に布製ファスナーを設けパンツの内側に相応の場所に布製ファスナーを設けた球体の内側につけたパンツである。
【考案の効果】
【０００５】本考案は椅子などに座ってこねると簡単に局部を押圧できる。
【図面の簡単な説明】
【０００６】
【図１】は球体を示す側面図である。
【図２】は使用状態を示す斜視図である。
【考案を実施するための形態】
【０００７】下着であるパンツの内側に局所に合わせ布製ファスナーを付け、球体の方にも布製ファスナーを付ける。パンツと球体は着脱自在となる。
【実施例】
【０００８】直径３．９ｃｍ位の球体を用意する。球体１には１ヶ所、布製ファスナー２を設ける。パンツ３の内側の相応する１ヶ所に布製ファスナー４を設ける。これによりパンツと球体は着脱自在となる。【０００９】  １日３分位、１日１回から３回位球体を局部に当て、局部で押し、転がす。これを行うと早ければ１０日前後、普通の人は３０日位で失禁は治る。球体は何回でも洗って使用できる。図中の５は局部を示す。Ａは局部、Ｂは肛門を示す。
【符号の説明】
【００１０】１  球体２  布製ファスナー（球体側）３  パンツ４  布製ファスナー（パンツ側）５  局部Ａ  尻部Ｂ  肛門
【図１】
0003198730.tif 000003
【図２】
0003198730.tif 000004
【手続補正書】
【提出日】平成27年1月6日(2015.1.6)
【手続補正１】
【補正対象書類名】実用新案登録請求の範囲
【補正対象項目名】請求項１
【補正方法】変更
【補正の内容】
【請求項１】
直径が４ｃｍ位の球体の一部に布製ファスナーを設け、パンツの内部に、重ねた時前記布製ファスナーと合致し、重ねることができる場所に、布製ファスナーを設けた球体を内側に付けたパンツ。
【手続補正２】
【補正対象書類名】明細書
【補正対象項目名】０００４
【補正方法】変更
【補正の内容】
【０００４】  直径が４ｃｍ位の球体の一部に布製ファスナーを設け、パンツの内部に、重ねた時前記布製ファスナーと合致し、重ねることができる場所に布製ファスナーを設けた球体を内側に付けたパンツ。
【手続補正３】
【補正対象書類名】明細書
【補正対象項目名】０００８
【補正方法】変更
【補正の内容】
【０００８】      直径４ｃｍ位の球体を用意する。球体１には１ヶ所、布製ファスナー２を設ける。パンツ３の内側に、重ねた時布製ファスナー２と重ねることができる１ヶ所に、他の布製ファスナー４を設ける。これによりパンツと球体は着脱自在となる。
【手続補正書】
【提出日】平成27年4月24日(2015.4.24)
【手続補正１】
【補正対象書類名】実用新案登録請求の範囲
【補正対象項目名】請求項１
【補正方法】変更
【補正の内容】
【請求項１】
直径が３．８ｃｍから４．２ｃｍの球体の一部に布製ファスナーを設け、パンツの内部に、重ねた時前記布製ファスナーと合致し、重ねることができる場所に、布製ファスナーを設けた球体を内側に付けたパンツ。
【手続補正２】
【補正対象書類名】明細書
【補正対象項目名】０００４
【補正方法】変更
【補正の内容】
【０００４】  直径が３．８ｃｍから４．２ｃｍの球体の一部に布製ファスナーを設け、パンツの内部に、重ねた時前記布製ファスナーと合致し、重ねることができる場所に布製ファスナーを設けた球体を内側に付けたパンツ。
【手続補正３】
【補正対象書類名】明細書
【補正対象項目名】０００８
【補正方法】変更
【補正の内容】
【０００８】  直径３．８ｃｍから４．２ｃｍの球体を用意する。球体１には１ヶ所、布製ファスナー２を設ける。パンツ３の内側に、重ねた時布製ファスナー２と重ねることができる１ヶ所に、他の布製ファスナー４を設ける。これによりパンツと球体は着脱自在となる。
(57)【要約】      （修正有）【課題】接続が強固に行われ、散水時等における水漏れや、連結具からのホースの離脱が防止できる連結具へのホースの接続構造を提供する。【解決手段】給水側もしくは放水側に連結される連結具１へのホース２の接続構造であり、連結具の接続筒部７にホースの端部が被嵌され、ホースの被嵌された部分に所定幅を有する金属製の環状固定具１５が被嵌され、環状固定具が加締められることで接続筒部にホースの端部が固定される。接続筒部の端部の太径部１２を越えた細径部１０において固定が行われるのが好ましい。【選択図】図２
0003198750.tif 000002
【実用新案登録請求の範囲】
【請求項１】
給水側もしくは放水側に連結される連結具へのホースの接続構造であり、
前記連結具の接続筒部に前記ホースの端部が被嵌され、前記ホースの前記被嵌された部分に所定幅を有する金属製の環状固定具が被嵌され、前記環状固定具が加締められることで前記接続筒部に前記ホースの端部が固定されてなることを特徴する連結具へのホースの接続構造。
【請求項２】
前記接続筒部の端部の太径部を越えた細径部において前記固定が行われている請求項１記載の連結具へのホースの接続構造。
【考案の詳細な説明】
【技術分野】
【０００１】  この考案は、伸縮性ホース等の連結具への接続構造に関する。
【背景技術】
【０００２】  散水用ホースは、給水栓に取り付けられたアダプターにホース端部に取り付けられた連結具が連結されて使用される。散水時には連結具とホースとの接続部位に大きな水圧がかかり、水漏れの恐れがあり、さらに、連結具からホースが離脱してしまうこととなる。最近では散水用ホースとして弾力性により伸縮機能を持つものが用いられており、そのような弾力性を持つホースの場合とくに連結具とホースとの接続構造が不安定となりやすく、上記の問題が発生しやすい。
【考案の概要】
【考案が解決しようとする課題】
【０００３】  この考案は上記の事情に鑑みて行ったもので、連結具へのホースの接続が強固に行われ、散水時等における水漏れや、連結具からのホースの離脱が防止されるようにすることを目的とする。
【課題を解決するための手段】
【０００４】  この考案は、給水側もしくは放水側に連結される連結具へのホースの接続構造であり、前記連結具の接続筒部に前記ホースの端部が被嵌され、前記ホースの前記被嵌された部分に所定幅を有する金属製の環状固定具が被嵌され、前記環状固定具が加締められることで前記接続筒部に前記ホースの端部が固定されてなることを特徴する連結具へのホースの接続構造である。【０００５】  上記構成によれば、環状固定具が加締められることでホースが接続筒部に強固に固定され、水漏れ、ホースの抜けが防止される。とくに、ホースが接続筒部の細径部に固定されることで、ホースに抜け方向に力がかかった際には環状固定具がホースを介して太径部に係止する状態となり、これによりホースの抜けが確実に防止される。また、ホースとして弾力性を持つものが使用された場合には、細径部にホースが変形して弾力的に密着することでより強固な固定を可能とし、また密着することでホース使用時の接続部での水漏れが確実に防止される。【０００６】  金属製の環状固定具としては、加締め変形が可能で、かつ、固定のための適度な剛性を持つものが好適に使用され、例えば、鉄製、アルミ製のものが使用される。また、環状固定具は確実に固定をなすように所定の幅を有し、その厚みは材質に対応して適宜とされる。
【考案の効果】
【０００７】  この考案によれば、連結具へのホースの接続が強固に行われるようになり、散水時等における水漏れや、連結具からのホースの離脱が防止されるようになる。
【図面の簡単な説明】
【０００８】
【図１】  この考案の連結具へのホースの接続構造を持つホース端部の実施形態の外観斜視図
【図２】  この考案の連結具へのホースの接続構造を持つホース端部の実施形態の部分拡大断面図
【図３】  この考案の連結具へのホースの接続構造の実施形態の斜視図
【図４】  この考案の連結具へのホースの接続構造の説明のための斜視図
【考案を実施するための形態】
【０００９】  図１はこの考案の連結具へのホースの接続構造を持つホース端部の外観斜視図、図２は同部分拡大断面図、図３は連結具へのホースの接続構造を示す斜視図である。
【００１０】  １は樹脂製の連結具でありホース２が接続されている。連結具１は本体部３と操作リング４とキャップ５とからなり、操作リング４は本体部３にバネに付勢される状態でスライド移動可能に被嵌されて取り付けられ、キャップ５はホース２にスライド移動可能に被嵌された状態で取り付けられている。本体部３は給水側もしくは放水側に連結される連結部６と、連結部６後面から延び出す接続筒部７とからなり、連結部６と接続筒部７とはその内部において通水孔９が連通している。接続筒部７はその基部をネジ部８とし、ネジ部８から細径部１０が延び出し、端部が太径部１２となっている。
【００１１】  ホース２は２層構造で、そのホース２の連結具１への接続部を覆うようにネジ部８に螺着されてキャップ５が取り付けられている。ホース２は内層、外層ともに弾力性による伸縮機能を持ち、使用時にはその全体長さが２〜３倍程度長くなる。
【００１２】  次に、ホース２端部の連結具１への接続構造を説明する。ホース２の端部は連結具１の接続筒部７に被嵌され、７ｍｍ巾の金属製の環状固定具１５で加締め固定されている。図４は接続固定前の状態を示し、加締め加工前の大径の環状固定具１５が被嵌されたホース２の端部が、接続筒部７の細径部１０にまで被嵌され、その細径部１０に被嵌されたホース２部分において環状固定具１５が工具によって加締められ、これによりホース２が接続筒部７の細径部１０に圧接固定されて接続されている。
【００１３】  上記ホース２の接続固定構成によれば、環状固定具１５が加締められることでホース２が接続筒部７の細径部１０に強固に固定され、とくに、細径部１０に固定されることでホース２に抜け方向に力がかかった際には環状固定具１５がホース２を介して太径部１２に係止する状態となり、これによりホース２の抜けが確実に防止される。また、ホース２が２層構造で弾力性を持つので、細径部１０にホース２が変形して弾力的に密着することでより強固な固定を可能とし、また密着することでホース２使用時の接続部での水漏れが確実に防止される。
【符号の説明】
【００１４】１    連結具
２    ホース
７    接続筒部
１０  細径部
１５  環状固定具
【図１】
0003198750.tif 000003
【図２】
0003198750.tif 000004
【図３】
0003198750.tif 000005
【図４】
0003198750.tif 000006
(57)【要約】      （修正有）【課題】音楽信号における電磁場によるノイズを除去し、高音質の音源を得ることのできるＵＳＢ端子に装着して電磁場をシールドする電磁場シールドアタッチメントを提供する。【解決手段】ＵＳＢ端子に着装する開口部のある銅合金メッシュ１とＵＳＢ端子に着装する開口部のあるシルク２とを複数枚重ね固着したことを特徴とする。【選択図】図１
0003198734.tif 000002
【実用新案登録請求の範囲】
【請求項１】
ＵＳＢ端子に着装する開口部のある銅合金メッシュ（１）とシルク（２）とを幾重かに重ね固着した電磁場シールドアタッチメント。なお、銅合金メッシュ（１）とシルク（２）とを固着する方法には、
（イ）  接着剤で接着する方法
（ロ）  シルクで包み固定する方法
（ハ）  合成樹脂で包み固定する方法
（ニ）  周囲に枠を設け固定する方法
等がある。
【請求項２】
ＵＳＢ端子に装着する開口部をＡＶ端子に装着する開口部にした請求項１のアタッチメント。
【請求項３】
銅合金メッシュ（１）を多くの小さな穴をあけた銅合金板にした請求項１のアタッチメント。
【考案の詳細な説明】
【技術分野】
【０００１】  この考案は、ＵＳＢ端子に装着してパソコン及びＵＳＢ端子から発生する電磁場をシールドするアタッチメントに関するものである。
パソコンからＵＳＢケーブルを経由してデジタルアナログコンバータ（ＤＡＣ）に音楽信号を送る際に、パソコン及びＵＳＢ端子から発生する電磁場に起因したノイズが音楽信号に乗り、音質の劣化を招いている。従来このようなノイズを除去する様々な取り組みがなされてきたが、ＵＳＢ端子に直に電磁場シールドアタッチメントを装着してノイズを除去するという試みはなかった。
【背景技術】
【０００２】  従来、パソコン及びＵＳＢ端子から発生する電磁場に起因したノイズを除去する様々な取り組みがなされてきたが、主にＵＳＢ端子やコードの改善に向けられており、ＵＳＢ端子に直に電磁場シールドアタッチメントを装着してノイズを除去するものはなかった。
サエクコマース株式会社はＵＳＢ端子に特殊ゲル製のパッドを装着しパソコン等の振動を抑制する端子振動防止パッドを発売した。これは、パソコン等の振動を抑制し音質劣化を抑制するもので、ＵＳＢＡ端子用のパッドのサイズは１６ｍｍ×８．５ｍｍ×２ｍｍ、ＵＳＢＢ端子用のパッドのサイズは１２ｍｍ×１１ｍｍ×２ｍｍである。だがこれらのパッドは振動の抑制を目的にしており、本考案とは機能、構造そして効果が異なる。
【考案の概要】
【考案が解決しようとする課題】パソコン及びＵＳＢ端子から発生する電磁場はデリケートな音楽信号にノイズとして乗り、音質を劣化させる。電磁場をシールドするさまざまな方策が採られてきたが、電磁場の発生源に近いＵＳＢ端子に直に装着し電磁場をシールドするという方法はこれまでなかった。本考案は高音質を求める使用者の要望に応えるために考案されたものである。
【課題を解決する手段】
いま、その構成を説明すると、
（ア）本考案は、ＵＳＢ端子に着装する開口部のある銅合金メッシュ（１）とシルク（２）とを幾重かに重ねたアタッチメントである。なお本アタッチメントはＵＳＢオス端子に装着する。
（イ）本アタッチメントの開口部にＵＳＢオス端子を入れ、ＵＳＢオス端子の奥まで本アタッチメントを差し込む。
以上のように装置する。
使用法は、ＵＳＢオス端子に本アタッチメントを装着した後、パソコン等のＵＳＢメス端子に差し込む。このようにＵＳＢメス端子に電磁場をシールドする本アタッチメントを装着することで、電磁場の発生源の直近で電磁場をシールドでき効果的にノイズを除くことができる。なお、ＵＳＢ端子には形状の異なるＴｙｐｅＡ、ＴｙｐｅＢ、Ｍｉｎｉ−Ａ、Ｍｉｎｉ−Ｂ、Ｍｉｃｒｏ−Ａ、Ｍｉｃｒｏ−Ｂがあり、いずれの端子の場合でも形状に応じた開口部、そして厚さにする必要があり、かついずれもオス端子に装着する。
また、ＡＶ端子の場合でもＵＳＢ端子と同様それぞれのＡＶ端子の形状に応じた開口部、そして厚さにする必要がある。ＡＶ端子の代表的な端子であるＲＣＡ端子の場合、ＲＣＡオス端子とＲＣＡメス端子との形状を見ると、本アタッチメントはＲＣＡメス端子に装着する必要がある。ピン端子、ヘッドホーン端子そして音声と映像に用いられているＨＤＭＩ端子の場合、本アタッチメントはオス端子に装着する。なおＡＶ端子の形状によってはアタッチメントの厚さをごく薄くする必要がある。
また、銅合金メッシュ（１）の代わりに多くの小さな穴を開けた銅合金板にしても、同様の電磁場シールド効果が得られる。
かつまた、銅合金メッシュ（１）とシルク（２）とを固着する際に、弾力のあるシルク等で包み込んでやれば、パソコン等からの振動を抑制することができる。
【考案の効果】
本アタッチメントは、電磁場シールド材としてよく知られている銅合金メッシュとシルクから構成されており、ＵＳＢ端子に直に装着するため、電磁場をシールドする効率は高い。それ故音響機器だけでなくデリケートな信号を扱う医療機器にも利用できる。他にもデリケートな信号を扱うさまざまな情報機器にも利用できる。
【図面の簡単な説明】
【図１】  本考案の斜視図
【符号の説明】  １は銅合金メッシュ
２はシルク
【図１】
0003198734.tif 000003
【手続補正書】
【提出日】平成27年4月28日(2015.4.28)
【手続補正１】
【補正対象書類名】実用新案登録請求の範囲
【補正対象項目名】全文
【補正方法】変更
【補正の内容】
【実用新案登録請求の範囲】
【請求項１】
ＵＳＢ端子に着装する開口部のある銅合金メッシュ（１）と、ＵＳＢ端子に着装する開口部のあるシルク（２）とを複数枚重ね固着した電磁場シールドアタッチメント。
【請求項２】
ＡＶ端子に着装する開口部のある銅合金メッシュ（１）と、ＡＶ端子に着装する開口部のあるシルク（２）とを複数枚重ね固着した電磁場シールドアタッチメント。
【請求項３】
ＵＳＢ端子又はＡＶ端子に着装する開口部があるとともに、当該開口部より小さい穴が複数個あいている銅合金板と、ＵＳＢ端子又はＡＶ端子に着装する開口部のあるシルク（２）とを複数枚重ね固着した電磁場シールドアタッチメント。
(57)【要約】      （修正有）【課題】鍋等で調理する際、鍋等の蓋替わりにのせて、鍋等で調理する際の熱力で水を同時に沸かすことができるやかんを提供する。【解決手段】やかん１の底部分２に、円形に浅く、同じ円状に凹状の溝を複数設ける。【選択図】図１
0003198733.tif 000002
【実用新案登録請求の範囲】
【請求項１】
やかん１の底部分を、円形に浅く、凸凹に大小の複数の溝を大小の鍋等の蓋として収まりやすく動かないようにした。
【考案の詳細な説明】
【技術分野】
【０００１】本考案は、やかんの底部分と蓋の取っ手の構造に関するものである。
【背景技術】
【０００２】従来のやかんは、水を入れたやかん、に直接熱を加えて沸かしていました。
他の大小の鍋等の道具を利用して、調理する時、その鍋等の蓋がわりに、やかんをのせて同時にやかんの水も沸かす。
【考案の概要】
【考案が解決しようとする課題】
【０００３】大小の鍋等で熱力を利用して調理する時に、鍋等の蓋として、やかんの底を蓋替わりとして，のせて一緒にやかんの水も沸かす。
【課題を解決するための手段】
【０００４】本考案は、やかんの底部分に、大小の鍋の蓋として収まりやすく、ずれないように、円形に、浅く、凸凹に複数の溝を設ける。
【考案の効果】
【０００５】上述の様に、本考案のやかんの底部分と蓋の取っ手の加工は、やかん本来のやかんに直接、熱を加えて、水を沸かすのと、大小の鍋等の蓋として、鍋等で調理、利用する時、同時にやかんの水も沸かす。
取っ手のつまみ部分を、鍋ブタと掛けて、豚のデザイン。
【図面の簡単な説明】
【０００６】
【図１】本考案のやかんの底部分と蓋の取っ手の加工の正面図である。
【図２】やかんの底部分の裏面の正面図
【考案を実施するための形態】
【０００７】やかんの底部分に、大小の鍋等の蓋として収まるように、円形に、浅く、凸凹にずれないように、複数の、溝を設ける。
蓋の取っ手の、豚のデザインは、やかんブタと豚を重ねたものです。
【実施例】
【０００８】以下、図１の実施例を説明します。１はやかん本体、２はやかんの底部分３はやかんの蓋の取っ手部分。他の大小の鍋等で調理する際にやかん１の２を鍋等の蓋、替わりに使用して、やかん１の水を同時に沸かす。
【符号の説明】
【０００９】１  やかん本体
２  やかんの底の裏面図
３  やかんの蓋の取っ手
【図１】
0003198733.tif 000003
【図２】
0003198733.tif 000004
【手続補正書】
【提出日】平成27年5月20日(2015.5.20)
【手続補正１】
【補正対象書類名】実用新案登録請求の範囲
【補正対象項目名】全文
【補正方法】変更
【補正の内容】
【実用新案登録請求の範囲】
【請求項１】
円形の底に同心円状の複数の溝を凹状に設けたやかん。          
【手続補正２】
【補正対象書類名】明細書
【補正対象項目名】０００４
【補正方法】変更
【補正の内容】
【０００４】
円形の底に同心円状の複数の溝を凹状に設けたやかんにより達成される。
【手続補正３】
【補正対象書類名】明細書
【補正対象項目名】０００６
【補正方法】変更
【補正の内容】
【０００６】
【図１】本考案のやかんの一例の側面図である。
【図２】図１に記載した本考案のやかんの底の平面図である。
【手続補正４】
【補正対象書類名】明細書
【補正対象項目名】０００８
【補正方法】変更
【補正の内容】
【０００８】
以下、図１の実施例を説明します。１はやかん本体、２はやかんの底、３はやかんの  蓋の取っ手部分であり、他の鍋で調理する際にやかんの底２を鍋の蓋替わりに使用して、  やかん１の水を同時に沸かす。
【手続補正５】
【補正対象書類名】明細書
【補正対象項目名】０００９
【補正方法】変更
【補正の内容】
【０００９】
１  やかん本体
２  やかんの底  (外から見た)
３  やかんの蓋の取っ手
４  やかんの底の同心円状の溝
【手続補正６】
【補正対象書類名】図面
【補正対象項目名】図１
【補正方法】変更
【補正の内容】
【図１】
0003198733.tif 000005
【手続補正７】
【補正対象書類名】図面
【補正対象項目名】図２
【補正方法】変更
【補正の内容】
【図２】
0003198733.tif 000006
(57)【要約】      （修正有）【課題】歩道及び車道を歩行中に後方より自転車、自動車、人などの接近を事前に察知して安全に歩行をできるように、特に老人、重度難聴、障害者のため歩行補助用として後方から近付いて来る人、自転車、自動車が確認でき、歩行者事故を減少する歩行者用バックミラーを提供する。【解決手段】歩行者の帽子にとりつけることのできるクリップ１と、クリップ１に着けられたフレキシブルアーム２と、フレキシブルアーム２のクリップ１と反対側に着けられた曲面ミラー３とを有し、曲面ミラー３の角度は、歩行者が曲面ミラー３で後方を確認することが出来るように調節できる。【選択図】図１
0003198738.tif 000002
【実用新案登録請求の範囲】
【請求項１】
帽子にクリップ（1）にフレキシブアーム（2）を着けクリップの反対に曲面ミラー（3）をつける、曲面ミラーの角度は調節でき後方を確認にあわせる。
【考案の詳細な説明】
【技術分野】
【０００１】
人が歩行中に後方を確認するものである。
【背景技術】
【０００２】
後方から自転車、及び歩行者が接近し驚いたりする事がある。
【考案の概要】
【考案が解決しようとする課題】
【０００３】
後方を確認する為自分の体に鏡などを装着する。一例をあげれば帽子に装着して後方を見ることができる。
【課題を解決するための手段】
【０００４】
帽子のツバに広い範囲が見える曲面鏡をとりつける。
【考案の効果】
【０００５】
振り返らず後方をうかがえる。
【図面の簡単な説明】
【０００６】
【図１】右側面からグレースケールで添付。
【図２】斜め後方からグレースケールで添付。
【図３】出願品をグレースケールで添付。
【考案を実施するための形態】
【０００７】
本考案は後方を目視する為に曲面鏡の向きを調整する。
【実施例】
【０００８】
実際に私が帽子に装着して使用中。
【産業上の利用可能性】
【０００９】
高齢者、身体障害者で使用。
【符号の説明】
【００１０】
1・クリップ  2・フレキシブアーム  3・曲面ミラー
【図１】
0003198738.tif 000003
【図２】
0003198738.tif 000004
【図３】
0003198738.tif 000005
【手続補正書】
【提出日】平成27年4月23日(2015.4.23)
【手続補正１】
【補正対象書類名】実用新案登録請求の範囲
【補正対象項目名】全文
【補正方法】変更
【補正の内容】
【実用新案登録請求の範囲】
【請求項１】
歩行者の帽子にとりつけることのできるクリップ（1）と、クリップ（1）に着けられたフレキシブルアーム（2）と、フレキシブルアーム（2）のクリップ（1）と反対側に着けられた曲面ミラー（3）とを有し、曲面（3）の角度は、歩行者が曲面ミラー（3）で後方を確認することが出来るように調節できることを特徴とする歩行者用バックミラー。
(57)【要約】      （修正有）【課題】平型ポケットサイズのペットボトルで平型ペットボトルによってポケットに入る利便性と携帯性を提供する。【解決手段】平型な形状であって、また、ポケットに入れることを可能とし、歩行する際にもポケットに入れて両手が自由になる。これにより、歩行時の安全向上に役立ちます。【選択図】図８
0003198736.tif 000002
【実用新案登録請求の範囲】
【請求項１】
平型形状ペットボトル  ポケットサイズ
平型の為、ポケットに入り両手が自由になりイベントやフェスティバル
その他展示会なので利便性が生じ、尚且つ携帯性を高めたペットボトル
【請求項２】
平型ペットボトルに飲料水を入れてラベルをオリジナルで制作できる
平型ペットボトルの為、２面に大きな広告枠を確保できます。
広告を掲載してＳＮＳなどソーシャルでの情報拡散に効果があります。
【考案の詳細な説明】
【技術分野】本考案は平型のペットボトル
利便性に優れ尚且つ携帯性を持った平型ペットボトルに関するものである
【背景技術】従来の飲料ペットボトルは正方形もしくは丸型が多く、持ち歩くには手に持つもしくは、カバンの中に入れることしかできませんでした。
オリジナルペットボトルを制作してもあまりロゴの露出もしくはプロモーションしたい内容がうまく露出しない。
【考案の概要】
【考案が解決しようとする課題】従来の飲料ペットボトルは正方形もしくは丸型の為ポケットに入りにくい
【課題を解決するための手段】ペットボトルを極限まで平型にします。
キャップ幅に近い厚さにすることにより、薄型ペットボトルにする
【考案の効果】ポケットに入ることができ携帯性、利便性を高めることができます。
２面ラベル枠が大きく平面で確保でき、ブランドのロゴ露出を高める。
【図面の簡単な説明】
【図１】展開図
【図２】ジャケットのポケット
【図３】トレーナーのポケット
【図４】パンツのポケット
【図５】カバンの中に入れてもかさ張らない
【図６】ウィンドブレーカーのポケット
【図７】ＱＲコードを張り付け動画配信ツール
【図８】ポケットに入れたイメージ
【実施例】
【野外フェスティバル】
野外でのフェスティバルで手に持って歩行するのではなく
ポケットに入れて歩行すると安全である。
もちろん、作業スタッフも作業しながら水分補給。
【コンサート会場】
平面ペットボトルに席マップやトイレの場所情報や位置情報を掲載
飲料水とパンフレットが連動し便利。
【展示会】
平型なので２面大きな広告スペースを確保
ＰＲしたい情報をより大きく拡散できる
【図１】
0003198736.tif 000003
【図２】
0003198736.tif 000004
【図３】
0003198736.tif 000005
【図４】
0003198736.tif 000006
【図５】
0003198736.tif 000007
【図６】
0003198736.tif 000008
【図７】
0003198736.tif 000009
【図８】
0003198736.tif 000010
【手続補正書】
【提出日】平成27年4月27日(2015.4.27)
【手続補正１】
【補正対象書類名】実用新案登録請求の範囲
【補正対象項目名】全文
【補正方法】変更
【補正の内容】
【実用新案登録請求の範囲】
【請求項１】
平型の形状を特徴とする平型ペットボトル。
【請求項２】
平形の形状を有することによりポケットにいれることを可能とし、携帯性、利便性、歩行時の安全性などを特徴とする請求項１項記載の平型ペットボトル。
(57)【要約】      （修正有）【課題】人間の顔に装着しリンパの流れを促し、血流・血行促進効果を高めるとともに、リフトアップ効果及び小顔効果が得られるフェイスサポーターを提供する。【解決手段】パワーネット本体１に光電子・ゲルマニウム・トルマリン・チタンなどの含有素材２を裏全面、に重ね、人間の顎領域にて固定する基部領域３と、基部領域３からそれぞれ突状に延出する一対のシート構成片４、５から後頭部にて面ファスナーにて連結する。基部領域３から後頭部にかけて所定の伸縮性を有する。また、両頬部７にはバックスキンが取り付けられ、フィット性を向上させる。【選択図】図１
0003198735.tif 000002
【実用新案登録請求の範囲】
【請求項１】
伸縮性のあるパワーネットを基盤としたフェイスサポーター。
【請求項２】
請求項１のフェイスサポーターであって、基盤となるパワーネットの顎領域より左右に延びる一片のパワーネットが両耳前面を通り、後頭部上部付近にて固定具（マジックテープ）により人間の顔に装着可能なフェイスサポーター。
【請求項３】
請求項１のフェイスサポーターであって、その裏面に光電子・ゲルマニウム・トルマリン・チタンなどの含有素材を張り付けた、人間の顔に装着可能なフェイスサポーター。
【請求項４】
請求項１のフェイスサポーターであって、当該フェイスサポーターを人間の顔に装着した場合、請求項３に記載の光電子・ゲルマニウム・トルマリン・チタンなどの含有素材の裏面の両頬部にはマイクロファイバーのバックスキン（左右三本ライン形状）を備え、装着時のズレを防ぐフェイスサポーター。
【考案の詳細な説明】
【技術分野】
【０００１】本発明は、人間の顔に装着可能なフェイスサポーターに関するものである。
【背景技術】
【０００２】従来のフェイスサポーターには、人間の顔に装着可能なものでも、発汗性を高めることにより、小顔効果が得られるもので、シリコン素材のものが主流であり、長時間の装着には向かない仕様である。当技術は、光電子・ゲルマニウム・トルマリン・チタンなどの含有素材を使用し、小顔効果はもちろん、リフトアップ効果をより多くの使用者が得られたと感じる技術を考案する。また、入浴時・就寝時等、一日中装着し続けても苦にならず、気軽に使用できる技術を考案する。
【考案の概要】
【考案が解決しようとする課題】
【０００３】そこで、本発明は、人間の顔に装着可能な従来のフェイスサポーターに比べ、素材にリンパの流れを活性化させる光電子・ゲルマニウム・トルマリン・チタンなどの含有素材を採用し、より多くの使用者がリフトアップ及び小顔効果を得られたと実感できる技術を提供することを課題とする。
【課題を解決するための手段】
【０００４】上記課題を達成するため、各請求項記載の発明が構成される。【０００５】本発明にかかるフェイスシートは、素材に伸縮性のあるパワーネットを使用し、人間の顔に装着可能なフェイスサポーターであって、基部領域（顎部）及び首周辺部及び口領域から後頭部を包み込むような構造をとる。全体素材には光電子・ゲルマニウム・トルマリン・チタンなどの含有素材が使用されており、更に頬部に滑り止めとなるマイクロファイバー素材のバックスキンが貼り付けてあるものも含む。基部領域からそれぞれ突状に延出する領域は、直線状又は、曲線状に延在することができる。特に、この一対の延出領域は、基部領域を挟んで互いに所定角度をなして延出するとともに、当該延出方向に所定の伸縮性を有する構成とされる。これにより、人間の顎領域を基点として延出する延出領域の伸縮性と光電子・ゲルマニウム・トルマリン・チタンなどの含有素材により、リンパの流れを促し、血流・血行促進効果を得られ、従来品よりもリフトアップ及び小顔効果が得ることができる。
【考案の効果】
【０００６】以上のように本発明によれば、従来のフェイスサポーターの機能に加え、光電子・ゲルマニウム・トルマリン・チタンなどの含有素材の使用により、より多くの使用者がリフトアップ及び小顔効果を得られたと実感することが可能となった。
【図面の簡単な説明】
【０００７】
【図１】本発明にかかる、フェイスサポーターを人間の顔に装着された状態にて示す正面図である。
【図２】図１中のフェイスサポーター人間の顔に装着された状態で、横から見た際の図面である。
【図３】図１中のフェイスサポーターの装着前の状態を示す図面である。
【図１】
0003198735.tif 000003
【図２】
0003198735.tif 000004
【図３】
0003198735.tif 000005
【手続補正書】
【提出日】平成27年4月24日(2015.4.24)
【手続補正１】
【補正対象書類名】実用新案登録請求の範囲
【補正対象項目名】全文
【補正方法】変更
【補正の内容】
【実用新案登録請求の範囲】
【請求項１】
伸縮性のあるパワーネット・シルク・レーヨン・ナイロン・ポリウレタン・ポリエステル・コットンを基盤としたフェイスサポーターであって、素材の顎領域より左右に延びる一片のパワーネットが両耳前面を通り、後頭部上部付近の面ファスナーにて人間の顔に装着可能なフェイスサポーター。
【請求項２】
請求項１のフェイスサポーターであって、その裏面に光電子・ゲルマニウム・トルマリン・チタンの含有素材を張り付けた、人間の顔に装着可能なフェイスサポーター。
【請求項３】
請求項２のフェイスサポーターであって、当該フェイスサポーターを人間の顔に装着した場合、前記含有素材裏面の両頬部には三本ライン形状のバックスキン・マイクロファイバー・ウレタン・シリコン・スポンジを備え、装着時のズレを防ぐフェイスサポーター。
(57)【要約】      （修正有）【課題】上側面に注入口キャップ付き注入口をつけた樹脂製ボトルを提供する。【解決手段】従来の樹脂製ボトルの上側面に注入口１を設け、注入口１には注入口キャップ２を設ける。【選択図】図１
0003198140.tif 000002
【実用新案登録請求の範囲】
【請求項１】
上側面に注入口キャップ（２）を有する注入口（１）を設けた樹脂製ボトル。
【考案の詳細な説明】
【技術分野】
【０００１】この考案は、シャンプーや液体洗剤や消毒液などの詰め替え液（６）を注入するための、注ぎ口が付いた樹脂製ボトル（４）に関するものである。
【背景技術】
【０００２】従来は、シャンプーなどの詰め替え液をボトルに注入するときは、専用の注ぎ口がなく、ボトルのポンプ取り付けキャップ（３）部分を外して、ポンプ（５）の挿入口からつめかえ液を注入していた。
【考案の概要】
【考案が解決しようとする課題】
【０００３】そのために次のような問題点があった。
（イ）液を注入するとき、はずしたポンプを置いておく必要があるが、ポンプホースに付着している液が垂れて、ポンプを置いていた場所が汚れ、拭き取るか洗い流さなければならなかった。
（ロ）詰め替え作業が面倒で、詰め替え用液を購入しない人たちがいると推測され、ゴミの増量・資源の無駄使いになっている。
本考案は、これらの問題点を解決するためになされたものである。
【課題を解決するための手段】
【０００４】従来の樹脂製ボトルの上側面に詰め替え注入口（１）を設ける。注入口には注入口キャップ（２）を装着する。
本考案は、以上のような構成よりなる樹脂製ボトルである。
【考案の効果】
【０００５】詰め替え液を注入口から注入するために、従来のようにポンプ部分を取り外す必要がない。そのため、ポンプホース部分に付着している液が垂れることがなくなり、洗面所や風呂場などで詰め替え作業を行った場所の洗い流しの手間がはぶけ。作業効率が良くなる。
【図面の簡単な説明】
【０００６】
【図１】本考案の正面図である。
【図２】本考案の使用状態を示す斜視図である。
【考案を実施するための形態】
【０００７】以下、本考案の実施の形態について説明する。
（イ）シャンプーやリンス、ボディシャンプー、液体洗剤などの樹脂製ボトルの上側面に、樹脂製の円柱状の注入口（１）を設ける。
（ロ）開口部に樹脂製の注入口キャップ（２）を設ける。
本考案は以上のような構造で、本ボトルに詰め替え用液を注入するときは、注入口キャップ（２）をはずし、注入口（１）より詰め替え液（６）を注ぐ。
【符号の説明】
【０００８】１  注入口、２  注入口キャップ  ３  ポンプ取り付けキャップ
４  ボトル  ５  ポンプ  ６  詰め替え液
【図１】
0003198140.tif 000003
【図２】
0003198140.tif 000004
(57)【要約】      （修正有）【課題】理想の頸椎曲線に近づけるために、変形しにくい頸椎支持部を持ち、頸椎をしっかり支えながら、頭及び首に優しく刺激を伝え、形状を調整できる枕を提供する。【解決手段】枕の全体を包むファスナー付きカバー部１の中に、サポート部２として木綿の綿等を入れた布団状の物を入れ、頭及び首に優しく刺激を伝える様にし、その下にコア部３として、理想の頸椎曲線に近づけるために主にタオル地を円柱状に巻いた変形しにくい物を入れ、各々独立して形状を調整する。【選択図】図１
0003198137.tif 000002
【実用新案登録請求の範囲】
【請求項１】
外側から他の部分を包むカバー部の中に、首・頭を優しく支えるためのサポート部、その下に頸椎を理想頸椎曲線に近づけるためのコア部が入り、内側の各々が独立して調整でき、一体となっていて、頸椎をしっかり支えようとすることを特徴とする枕。
【請求項２】
前記のカバー部は布製ファスナー付き、サポート部は、コア部の刺激を和らげ首・頭を優しく支えるための木綿の綿を入れた布団状のもの、コア部は理想頸椎曲線に近づけるため、主にタオル地を円柱状に巻いたものを使ったことを特徴とする、請求項１記載の枕。
【考案の詳細な説明】
【技術分野】
【０００１】この考案は、人が寝るときに用いる枕の形状に関するものです。
【背景技術】
【０００２】従来の枕は、一定の形状で頸椎を支えるもの、粒状の物を出し入れして高さ等を変え頸椎に合わせるものは登録されている。
【先行技術文献】
【特許文献】
【０００３】
【特許文献１】特許公開平８−４２２  枕
【特許文献２】特許公開平２００４−２１５６９９  枕
【考案の概要】
【考案が解決しようとする課題】
【０００４】しかしながら、現在登録されている枕では、個人の頸椎及び頭部に直接合わせる枕はあるが、理想の頸椎曲線に近づけるために、変形しにくい頸椎支持部を持ち、これを頭及び首に優しく刺激を伝える部分を持っていて、各々形状を調整することができるものが無かった。
【課題を解決するための手段】
【０００５】そこで、外側から他の部分を包むためのファスナー付きカバー部の中に、サポート部として木綿の綿を入れた布団状の物を入れ、頭及び首に優しく刺激を伝える様にするとともに、その下にコア部として粒状の充填材では頸椎には合わせられるがやや変形しやすので、理想の頸椎曲線に近づけるために、主にタオル地を円柱状に巻いた変形しにくい物を入れることによって各々独立して調整でき、課題を解決することができる。
【考案の効果】
【０００６】各部の配置・独立・形状と材質で、個人に合わせ安く、コアの形状と材質及びサポート部の材質と位置によって頸椎をしっかり支え、理想の頸椎曲線に優しく近づけるとともに、頸椎と頭蓋骨接続付近の僧帽筋および頭板状筋を刺激するので心地良い眠りへ導く。
【図面の簡単な説明】
【０００７】
【図１】この考案の実施形態を示す断面図です。
【図２】各部分の斜視図です。
【考案を実施するための形態】
【０００８】図１は、この考案の実施形態を示す断面図です。
全体を包むファスナー付きカバー部の中に、サポート部として、木綿の綿を入れた布団状の物が入り、その下にコア部として主にタオル地を円柱状に巻いた物が入っている。
人間が寝るときに用いる枕は、一定の形状で頸椎を支えるもの、粒状の充填材を出し入れして高さを変えるものは考案されているが、「個人によって異なる理想の頸椎曲線に近づけるために、形状を変える」ことができるものが無かった。
そこで、図２斜視図の様に枕の全体を覆うファスナー付きカバー部と、大きさ高さが変えられる主にタオル地を円柱状に巻いたコア部・優しく支えるために木綿の綿を入れた布団状のサポート部を、図１のように配置することによって頸椎をしっかり支え、個人によって異なる理想の頸椎曲線に近づけることが可能になった。なお、サポート部の、木綿の綿の量、後頭部が当たる位置へタオル等の差し込みによって高さを調整することができる。
【実施例及び効果】
【０００９】  各部が独立しているこの枕を使用すると、円柱状のコア部の形状・材質からあたかも母の腕か、手で頭を支えられている様な心地良さがあり、理想の頸椎曲線に優しく近づけ、頸椎と頭蓋骨接続付近の僧帽筋および頭板状筋を刺激するので心地良い眠りへ導き、サポート部はコア部の刺激を優しく首に伝える機能を有しており、タオル等を差し込むことによって、仰向けに寝た時の視線がちょうど真上を見るように高さを調整できる。カバー部は、各部の出し入れがし易く、洗濯し易く衛生的である。
ここで理想の頸椎とは、穏やかな曲線を描いた頸椎のことを指し、重力・抗力負荷を最小限に抑え、自体の持つ身体的能力を最大に引き出せる状況のことである。
また、睡眠の場合、枕や頸椎に対しての最善の考えは諸説あるが、多岐に及ぶ見地からしても気道が確保される・弓状曲線の頸椎及び後頭部への負荷の拡散・頸部から肩部への緊張の無い状態を作り出すことが良質な睡眠及び理想の頸椎の絶対条件である。
【符号の説明】
【００１０】▲１▼  カバー部
▲２▼  サポート部
▲３▼  コア部
【図１】
0003198137.tif 000003
【図２】
0003198137.tif 000004